(57)【要約】【課題】  リング型スイッチシステムにおけるデータ転送の高速化が困難であった。【解決手段】  リング型トポロジを形成する複数のスイッチ機構を備えるスイッチシステムにおいて、スイッチ機構（10a）は、ループ外部に対するパケットの入出力を行う入出力端子（11）と、ループ後段となるスイッチ機構が受信すべきパケットの有無の情報を含むキャリア信号を所定時間毎にループ後段へ送信するゲート（21）とを有する。入出力端子は、ループ外部から入力されたパケットを蓄積し、このパケットに関するキャリア信号を生成する。ゲートは、受信すべきパケットが無いことを示すキャリア信号をループ前段となるスイッチ機構から受信したとき、入出力端子が蓄積したパケットおよびそのキャリア信号をループ後段へ送信する。【選択図】      図３
2006262117.tif 000002
【特許請求の範囲】
【請求項１】
リング型トポロジを形成する複数のスイッチ機構を備え、
前記各スイッチ機構は、
ループ外部に対するパケットの入出力を行う入出力部と、ループ後段となるスイッチ機構が受信すべきパケットの有無を含む伝送情報を所定時間毎に前記ループ後段へ送信するゲート部とを有し、
前記入出力部は、ループ外部から入力されたパケットを蓄積し該パケットに関する伝送情報を生成し、
前記ゲート部は、受信すべきパケットが無いことを示す伝送情報をループ前段となるスイッチ機構から受信したとき、前記入出力部が蓄積したパケットおよびその伝送情報を前記ループ後段へ送信することを特徴とするスイッチシステム。
【請求項２】
前記ゲート部は、受信すべきパケットが存在し且つ該パケットの宛先が自機構であることを示す伝送情報を前記ループ前段から受信したとき、前記入出力部による当該パケットの受信の可否を判定し、該判定の結果が可の場合は当該パケットを前記入出力部へ供給し、且つ、パケットが無いことを示す伝送情報を前記ループ後段へ送信することを特徴とする請求項１記載のスイッチシステム。
【請求項３】
前記ゲート部は、前記判定の結果が否の場合は前記受信したキャリア情報および当該パケットを前記ループ後段へ転送することを特徴とする請求項２記載のスイッチシステム。
【請求項４】
前記ゲート部は、受信すべきパケットが存在し且つ該パケットの発信元が自機構であることを示す伝送情報を前記ループ前段から受信したとき、該伝送情報および当該パケットを前記ループ後段へ転送し、且つ、前記入出力部が蓄積したパケットの前記ループ後段への送信を所定期間停止することを特徴とする請求項１記載のスイッチシステム。
【請求項５】
前記ゲート部は、前記入出力部が蓄積したパケットを所定のデータ量に分割して送信し、
前記入出力部は、分割して送信すべき各パケット部分に関する伝送情報に該パケット部分の相対的な位置を示す情報を設定することを特徴とする請求項１記載のスイッチシステム。
【請求項６】
前記入出力部は、ループ外部との間で入出力すべきパケットに対し、ループ外部にて適用される通信プロトコルと、ループに適用される通信プロトコルとの変換を行うことを特徴とする請求項１記載のスイッチシステム。
【請求項７】
前記各スイッチ機構は、ループ前段およびループ後段となる各スイッチ機構が相互に反転する一対の前記ゲート機構を備えることを特徴とする請求項１乃至６のいずれか１項に記載のスイッチシステム。
【請求項８】
リング型トポロジを形成する複数のスイッチ機構の各スイッチ機構が、
ループ後段となるスイッチ機構が受信すべきパケットの有無を含む伝送情報を所定時間毎に前記ループ後段へ送信するステップと、
ループ外部からパケットが入力されたとき該パケットを蓄積し該パケットの伝送情報を生成するステップと、
受信すべきパケットが無いことを示す伝送情報をループ前段となるスイッチ機構から受信したとき前記蓄積したパケットおよびその伝送情報を前記ループ後段へ送信するステップとを実行することを特徴とするループ転送方法。
【請求項９】
前記各スイッチ機構が、さらに、
受信すべきパケットが存在し且つ該パケットの宛先が自機構であることを示す伝送情報を前記ループ前段から受信したとき、当該パケットの受信の可否を判定し、該判定の結果が可の場合は当該パケットを前記入出力部へ供給し、且つ、パケットが無いことを示す伝送情報を前記ループ後段へ送信するステップを実行することを特徴とする請求項８記載のループ転送方法。
【請求項１０】
前記各スイッチ機構が、
前記判定の結果が否の場合は前記受信したキャリア情報および当該パケットをループ後段へ転送することを特徴とする請求項９記載のループ転送方法。
【請求項１１】
前記各スイッチ機構が、さらに、
受信すべきパケットが存在し且つ該パケットの発信元が自機構であることを示す伝送情報を前記ループ前段から受信したとき、該伝送情報および当該パケットを前記ループ後段へ転送し、且つ、前記蓄積したパケットの前記ループ後段への送信を所定期間停止するステップを実行することを特徴とする請求項８記載のループ転送方法。
【請求項１２】
前記各スイッチ機構が、
前記蓄積したパケットをループ後段へ送信するステップにおいて、該パケットを所定のデータ量に分割して送信し、該送信に先立ち、各パケット部分に対する伝送情報に該パケット部分の相対的な位置を示す情報を設定することを特徴とする請求項８記載のループ転送方法。
【請求項１３】
前記各スイッチ機構が、
ループ外部との間で入出力すべきパケットに対し、ループ外部にて適用される通信プロトコルと、ループに適用される通信プロトコルとの変換を行うことを特徴とする請求項８記載のループ転送方法。
【発明の詳細な説明】
【技術分野】
【０００１】
本発明は、データ通信を行う複数の情報処理装置間のスイッチングに用いられるスイッチシステムに関し、特に、リング型トポロジによるループ・アーキテクチャを採用したスイッチシステムに関する。
【背景技術】
【０００２】
従来、通信ネットワークに接続されたネットワーク機器により大量なデータを効率よく処理するために、データの流れを制御するスイッチシステムをネットワークに配備することが知られている。スイッチシステムは、複数のネットワーク機器に対するデータ送受信を実行する複数の入出力端子を有し、入出力端子の接続形式の違いによってスイッチシステムの種類が区別される。入出力端子の接続形式は、各入出力端子を通信ネットワーク上のノードと見なすことにより、ネットワークトポロジに置き換えて分類することができる。即ち、スター（ツリー）型、バス（ブランチ）型およびリング（ループ）型の各トポロジに分類される。
【０００３】
スター型は、全てのノードがハブと呼ばれる一つのノードに接続される接続形式であり、この形式のスイッチシステムとしては、例えば、各ノードに接続される入出力端子が相互接続されたクロス・バー・スイッチと呼ばれるものがある。バス型は、複数のノードが同一のバスに並列的に接続される形式であり、その共用バスの占有権を制御するアービタが付加される。これらの形式を採用したスター型スイッチおよびバス型スイッチは、互いに内部構造は異なるが、外部のネットワーク機器に対しては、互いに同じ形式のプロトコルあるいは同じ種類の物理ケーブルを採用することが可能である。
【０００４】
一方、リング型は、複数のノードがループ状に接続された図６に示すような態様をなすものである。図７に、リング型スイッチの内部構造を示す。リング型スイッチの各入出力端子は、それに接続されているネットワーク機器に対する入出力を行うための一対の接続線を持つ。各入出力端子は、各ノードの存在の有無を確認し、ノードが存在する場合は外部ノードとの接続によりループを形成し、ノードが存在しないならば、信号線を短絡してループを閉ざす。
【０００５】
また、ループ内では同一のプロトコルが適用されるが、ループ外部で他のプロトコルが適用されることを考慮して、例えば、図８に示すような構成を採用することもできる。図８は、各入出力端子とネットワーク機器との間にプロトコル変換器を介在させることで、非リング型のプロトコルのネットワーク機器との接続を可能にしたスイッチシステムである。
【０００６】
リング型スイッチに適用する物理層のプロトコルとしては、例えば、ＦＣ−ＡＬ（Fibre Channel-Arbitrated Loop）がある。ＦＣ−ＡＬは、シリアルインタフェース規格であるＦＣ（Fibre Channel）をリング型トポロジに拡張したものであり、ループ上の各ノード間で調停（アービトレーション）を実施することにより、ループにデータを送出すべきノードを決定する方式である。この調停動作においては、送信側と受信側の準備が完了したうえでデータの送受信が行われる。
【０００７】
ＦＣ−ＡＬを用いた従来のスイッチシステムとしては、例えば、後述の特許文献１に記載のものがある。特許文献１には、ＦＣ−ＡＬに用いる仲裁型物理アドレス（AL_PA）をハードウェアに適切に設定するための手法が記載されている。
【特許文献１】特開２０００−２６１４９８号公報
【発明の開示】
【発明が解決しようとする課題】
【０００８】
しかしながら、スイッチシステムに前述のＦＣ−ＡＬを適用した場合、ループ内には１つのパケット（ＦＣ−ＡＬの場合はフレームと呼ばれる）しか伝送することができない。よって、ＦＣ−ＡＬを用いると、通信帯域に無駄が生じ、データ通信の多重度を高め難いという不都合がある。
【０００９】
また、ＦＣ−ＡＬの場合、調停動作のための信号をループ１周させる必要があり、即ち、ループ１周分の時間が経過しなければ、どのノードもループを使用できないことから、平均でループ半周分の遅延が生じる。よって、ＦＣ−ＡＬを適用したリング型スイッチは、各ノードが直接的に結線されるスター型スイッチに比べて高速通信を行い難い。
【００１０】
本発明は、上記課題に鑑みてなされたものであり、その目的は、ループに与えられている通信帯域を有効に利用し得るスイッチシステムを提供することにある。
【課題を解決するための手段】
【００１１】
本発明に係るスイッチシステムは、リング型トポロジを形成する複数のスイッチ機構を備え、前記各スイッチ機構は、ループ外部に対するパケットの入出力を行う入出力部と、ループ後段となるスイッチ機構が受信すべきパケットの有無を含む伝送情報を所定時間毎に前記ループ後段へ送信するゲート部とを有し、前記入出力部は、ループ外部から入力されたパケットを蓄積し該パケットに関する伝送情報を生成し、前記ゲート部は、受信すべきパケットが無いことを示す伝送情報をループ前段となるスイッチ機構から受信したとき、前記入出力部が蓄積したパケットおよびその伝送情報を前記ループ後段へ送信する。
【００１２】
本発明に係るループ転送方法は、リング型トポロジを形成する複数のスイッチ機構の各スイッチ機構が、ループ後段となるスイッチ機構が受信すべきパケットの有無を含む伝送情報を所定時間毎に前記ループ後段へ送信するステップと、ループ外部からパケットが入力されたとき該パケットを蓄積し該パケットの伝送情報を生成するステップと、受信すべきパケットが無いことを示す伝送情報をループ前段となるスイッチ機構から受信したとき前記蓄積したパケットおよびその伝送情報を前記ループ後段へ送信するステップとを実行するという方法である。
【発明の効果】
【００１３】
本発明によれば、各スイッチ機構が、後段のスイッチ機構に対し、この後段のスイッチ機構が受信すべきパケットの有無を伝送情報により定期的に通知することから、通知を受けた後段のスイッチ機構は、自機構からループにパケットを送信可能か否かを適正に判断することができる。これにより、予めループ内で調停動作を行うことが不要となることから、ループにおけるパケットの転送時間を短縮することができる。
【発明を実施するための最良の形態】
【００１４】
以下、本発明の実施の形態について図面を用いて詳細に説明する。図１は、本発明に係るスイッチシステムの実施形態の構成を示すブロック図である。本実施形態のスイッチシステム１０１は、リング型トポロジを成す複数のスイッチ機構１０ａ〜１０ｈを備え、図示の矢印方向に沿って信号を伝送するループ１０１Ａを持つ。スイッチ機構１０ａ〜１０ｈは、それぞれループ１０１Ａの外部に存在するネットワーク機器３０ａ〜３０ｈに接続されている。
【００１５】
各スイッチ機構（１０）は、ネットワークトポロジに関する図６に示す構成における各ノードに対応するものであり、それぞれ同一の構成をなす。例えば、スイッチ機構１０ａは、図１に示すように、ループ１０１Ａ外部のネットワーク機器３０ａに対するパケットの入出力を行う入出力端子１１と、ループ１０１Ａ後段へ所定時間毎に後述のキャリア信号を送信するゲート２１とを備える。ここで、各スイッチ機構（１０）に対するループ１０１Ａ後段とは、自機構から送信した信号を受信すべきスイッチ機構を指し、ループ１０１Ａ前段とは、自機構に対し信号を送信すべきスイッチ機構を指す。例えば、スイッチ機構１０ａの場合、その後段とは、図示の矢印の先に存在するスイッチ機構１０ｂであり、前段とは、矢印とは逆方向にて隣接するスイッチ機構１０ｈである。
【００１６】
図２に、ゲート２１が送信するキャリア信号の構成を示す。キャリア信号２００は、本発明における伝送情報に対応するものであり、ループ１０１Ａ後段となるスイッチ機構が受信すべきパケットデータの有無を含む情報が記述される。キャリア信号２００は、所定のデータ量を持つ信号であり、図２に示すように、対象のパケットの宛先を示す転送先ＩＤ２０１、パケットの発信元を示す転送元ＩＤ２０２、分割されたパケットデータの相対的な位置を示すデータ位置２０３等が記述される。なお、必要に応じて、さらにパケットデータ及びキャリアのチェックコードを付加してもよい。
【００１７】
データ位置２０３には、対象のパケットデータが存在しないことを示す「00（NULL）」、パケットの先頭データであることを示す「01（START）」、先頭データに順次継続するデータを示す「02〜FE（CONTINUE）」、パケットの末尾データを示す「FF（END）」のうちの何れかが記述される。よって、ループ１０１Ａ後段へ転送すべきパケットデータが無い場合は、データ位置２０３に「00」が設定され、また、転送すべきパケットデータが存在する場合は、データ位置２０３に「01」〜「FF」の何れかが設定される。図示の例では、データ位置２０３を８ビットで表す事を想定し、「01」から「FE」までの２５４パターンが用意されているが、この例に限らず、データ位置２０３を表すビット数を適宜変更してもよい。
【００１８】
ここで、例えば、スイッチ機構１０ａの入出力端子１１のＩＤを「11」とし、スイッチ機構１０ｄの入出力端子１４のＩＤを「14」とすると、図２のキャリア信号２００が示唆するパケットデータは、スイッチ機構１０ａがネットワーク機器３０ａから入出力端子１１により受信したパケットの先頭データであり、且つ、スイッチ機構１０ａからループ１０１Ａ内を転送された後にスイッチ機構１０ｄの入出力端子１４から出力されるパケットの先頭データである。
【００１９】
各スイッチ機構（１０）のゲート２１〜２８は、前述のキャリア信号を、単位時間ごとに同時にループ１０１Ａ後段へ送信する。
【００２０】
図３に、スイッチ機構１０ａの内部構成を示す。なお、他のスイッチ機構１０ｂ〜１０ｈの構成は図示のものと同一である。入出力端子１１は、図３に示すように、入力部１１１および出力部１１２を有する。
【００２１】
入力部１１１のバッファＦＩＦＯ１１１１は、ネットワーク機器３０ａから入力されたパケットを蓄積する。プロトコル解析部１１１２は、ループ１０１Ａ外部で用いられる通信プロトコルに基づいて、バッファＦＩＦＯ１１１１のパケットのヘッダ情報からデータの送受信先等を判定し、キャリア信号に必要な情報をキャリア生成部１１１３へ供給する。キャリア生成部１１１３は、プロトコル解析部１１１２から受けた情報をもとに、図２に沿って説明したキャリア信号を生成する。
【００２２】
出力部１１２のバッファＲＡＭ１１２１は、ループ１０１Ａ前段から転送されたパケットデータを格納する。プロトコル生成部１１２２は、バッファＲＡＭ１１２１のパケットデータに対し、ネットワーク機器３０ａへ出力するパケットとして成形するのに必要な情報を用意する。この情報は、前段から当該パケットデータと共に受信したキャリア信号から抽出する。ソート手段１１２３は、ネットワーク機器３０ａへ出力すべきパケットのデータ順序を整える。
【００２３】
ゲート２１は、ループ１０１Ａ前段からパケットデータおよびキャリア信号をラッチするデータラッチ部２１１１およびキャリアラッチ部２１１２と、ラッチされたキャリア信号の設定内容を解析するキャリア解析部２１１５と、ループ１０１Ａ後段へ送信すべきパケットデータおよびキャリア信号を選択するデータセレクタ２１１３およびキャリアセレクタ２１１４とを備える。
【００２４】
データセレクタ２１１３は、キャリア解析部２１１５の指示のもとで、データラッチ部２１１１がラッチしたパケットデータ、またはバッファＦＩＦＯ１１１１が蓄積したパケットデータのいずれかを選択して後段へ送信する。キャリアセレクタ２１１４は、キャリア解析部２１１５の指示のもとで、キャリアラッチ部２１１２がラッチしたキャリア信号、キャリア生成部１１１３が生成したキャリア信号、またはデータ位置２０３に「00」を設定した「空データ」を示すキャリア信号のいずれかを選択して後段へ送信する。
【００２５】
キャリア解析部２１１５は、後に説明する状況下においてタイマー２１１５１を起動し、バッファＦＩＦＯ１１１１に蓄積したパケットデータを、タイムアウトするまでの所定期間、後段へ送出しないよう制御する。
【００２６】
図４に示すフローチャートに沿って、図３のスイッチ機構１０ａの動作手順を説明する。キャリア解析部２１１５は、キャリアラッチ部２１１２から供給されたキャリア信号の設定内容を解析し、その解析結果に応じて次のような処理を行う。キャリア解析部２１１５は、まず、キャリア信号の転送元ＩＤ２０２に自機構であるスイッチ機構１０ａのＩＤが設定されているか否かを判定する（S1）。これは、自機構を転送元として送出したパケットデータが、転送先となるスイッチ機構にて受信されずに戻ってきたものであるかどうかを確認するステップである。
【００２７】
上記判定の結果、自機構のＩＤではない場合（S1:No）、キャリア解析部２１１５は、キャリア信号の転送先ＩＤ２０１が自機構のものであるか否かを判定し、自機構のＩＤではない場合は（S2:No）、さらに、キャリア信号のデータ位置２０３を確認する。その結果、「空データ」を示す場合、すなわちデータ位置２０３に「00」が設定されている場合（S3:Yes）、後段へ送出可能なパケットデータが存在するか否かを入出力端子１１のバッファＦＩＦＯ１１１１に、確認する。
【００２８】
キャリア解析部２１１５は、送出可能なパケットデータがバッファＦＩＦＯ１１１１にある場合（S4:Yes）、データセレクタ２１１３に対しバッファＦＩＦＯ１１１１を選択するよう指示すると共に、キャリアセレクタ２１１４に対しキャリア生成部１１１３が生成したキャリア信号を選択するよう指示する。これにより、スイッチ機構１０ａが転送元となるパケットデータおよびキャリア信号が後段のスイッチ機構１０ｂのゲート２２へ送信される（S5）。
【００２９】
また、バッファＦＩＦＯ１１１１にパケットデータが無い場合は（S4:No）、キャリアセレクタ２１１４に対し、キャリアラッチ部２１１２がラッチしたキャリア信号、すなわちデータ位置２０３に「00」が設定されたキャリア信号を選択するよう指示する。これにより、後段のゲート２２へ「空データ」を示すキャリア信号が転送される（S6）。
【００３０】
一方、キャリア信号の転送先ＩＤ２０１が自機構のＩＤではなく、しかも「空データ」ではない場合（S3:No）、キャリア解析部２１１５は、データセレクタ２１１３およびキャリアセレクタ２１１４に対し、それぞれデータラッチ部２１１１のパケットデータおよびキャリアラッチ部２１１２のキャリア信号を選択するよう指示する。これにより、スイッチ機構１０ａによりラッチしたパケットデータおよびキャリア信号が、そのまま後段のスイッチ機構１０ｂへ転送される（S7）。
【００３１】
キャリア解析部２１１５は、キャリア信号の解析の結果、転送先ＩＤ２０１に自機構のＩＤが設定されていた場合（S2:Yes）、入出力端子１１からネットワーク機器３０ａへ出力すべきパケットデータが転送されてきたとの判断のもとに、入出力端子１１のバッファＲＡＭ１１２１に対し、データの受領が可能か否かを確認する。その結果、バッファＲＡＭ１１２１が満杯であることにより、データの受領が不可の場合（S8:No）、ラッチされたパケットデータおよびキャリア信号をそのまま後段へ転送する（S7）。このとき後段へ転送されたパケットデータは、後に、ループ１０１Ａに沿って再びスイッチ機構１０ａへ戻った際、上述と同様な手順にてネットワーク機器３０ａへの出力が試みられる。
【００３２】
また、バッファＲＡＭ１１２１でのデータの受領が可能である場合（S8:Yes）、キャリア解析部２１１５は、バッファＲＡＭ１１２１に対し、データラッチ部２１１１がラッチしたパケットデータを書き込むよう指示し（S9）、キャリアラッチ部２１１２のキャリア信号をプロトコル生成部１１２２へ供給する。ここで出力部１１２は、プロトコル生成部１１２２からキャリア信号のデータ位置２０３を取得し、そのデータ位置２０３に基づき、ソート手段１１２３によりバッファＲＡＭ１１２１のパケットデータを適正な順序に並べ替える。そして、そのパケットをネットワーク機器３０ａへ出力する。キャリア解析部２１１５は、さらに、キャリアセレクタ２１１４に対し、データ位置２０３に「00」を設定したキャリア信号を選択するよう指示する。これにより、後段のスイッチ機構１０ｂへ「空データ」のキャリア信号が送信される（S10）。
【００３３】
キャリア解析部２１１５は、キャリア信号を解析した結果、転送元ＩＤ２０２に自機構のＩＤが設定されている場合（S1:Yes）、すなわち自機構を転送元としてループ１０１Ａへ送出したパケットデータが、転送先となるスイッチ機構にて受信されずに戻ってきた場合、タイマー２１１５１のカウント値を確認する。カウント値が「0」の場合は（S11:Yes）、タイマー２１１５１を起動して所定の値をセットし（S12）、また、タイマー２１１５１が「0」でない場合（S11:No）は、カウント値を現状の値から「1」減算する（S13）。
【００３４】
キャリア解析部２１１５は、カウントダウンによりタイマー２１１５１の値が「0」になるまでの間は、入力部１１１からゲート２１に対するデータ送出を抑止することにより、自機構が転送元となるパケットデータを新たに送信することを停止する。これにより、現時点でパケットデータの受信が不可である転送先のスイッチ機構に対し、さらにパケットデータが送信されることを回避できる。
【００３５】
キャリア解析部２１１５は、上記のタイマー２１１５１に対する処理を終えると、ラッチされたパケットデータおよびキャリア信号をそのまま後段へ転送すべくデータセレクタ２１１３およびキャリアセレクタ２１１４に指示を出す（S7）。
【００３６】
以上説明した実施形態のスイッチシステム１０１によれば、各スイッチ機構が、後段のスイッチ機構に対し、この後段のスイッチ機構が受信すべきパケットデータの有無をキャリア信号により定期的に通知することから、通知を受けた後段のスイッチ機構は、自機構からパケットデータを送信可能か否かを適正に判断することができる。これにより、予めループ内で調停動作を行うことが不要となることから、パケットデータの転送時間を短縮することができる。また、キャリア信号による上記の通知を全てのスイッチ機構が同時的に行うことから、最大で、各ゲート間の転送帯域にゲート数を乗じた帯域でのデータ転送が可能となる。
【００３７】
また、通常の通信プロトコルでは、データが目的の転送先に到達しなかった場合、転送先からの再送要求が必要であるが、本実施形態によれば、いったん転送元から送出されたパケットデータは、転送先が受領するまでループ上に残るため、従来のような再送処理が不要である。
【００３８】
図１に示す実施形態の構成は、１方向のループ１０１Ａを形成するものであったが、各スイッチ機構にゲートを追加することにより、２方向のループを形成してもよい。図５に、その実施形態の構成を示す。図示のスイッチシステム１０２は、１つの入出力端子に対して、２つのゲートを有する構成である。各入出力端子は、同じデータの２重送出でなければ、２つのゲートの何れに対してもデータの送出を可能とする。また、２つのゲートの何れに対してもデータの受領が可能であるとし、受領したデータは、出力部のソート手段により並べ替えを行う。図５に示すスイッチシステム１０２によれば、ゲートが２重になっているため、転送帯域が２倍になり、より大量のデータを効率よく転送することが可能となる。
【図面の簡単な説明】
【００３９】
【図１】本発明に係るスイッチシステムの実施形態の構成を示すブロック図である。
【図２】実施形態におけるキャリア信号を説明するための説明図である。
【図３】実施形態におけるスイッチ機構の内部構成を示すブロック図である。
【図４】実施形態の動作手順を示すフローチャートである。
【図５】他の実施形態の構成を示すブロック図である。
【図６】リング・トポロジーを説明するための説明図である。
【図７】従来のリング型スイッチシステムのブロック図である。
【図８】従来のリング型スイッチシステムのブロック図である。
【符号の説明】
【００４０】
１０１  スイッチシステム
１０１Ａ  ループ
１０ａ〜１０ｈ  スイッチ機構
１１〜１８  入出力端子
２１〜２８  ゲート
３０ａ〜３０ｈ  ネットワーク機器
【図１】
2006262117.tif 000003
【図２】
2006262117.tif 000004
【図３】
2006262117.tif 000005
【図４】
2006262117.tif 000006
【図５】
2006262117.tif 000007
【図６】
2006262117.tif 000008
【図７】
2006262117.tif 000009
【図８】
2006262117.tif 000010